(57)【要約】    【構成】  係止部２６を設けたマンホール継手１０のサドル１２をゴムシール１８を介してマンホール３８に沿わせる。そして、係止部２６に形成した挿入口２８に締付部材３６を通して、係止部２６に締付部材３６を掛ける。それから、締付部材３６をマンホール３８に巻き、固定具３０で締め付けて、マンホール継手１０をマンホール３８に圧着させる。    【効果】  締付部材３６を係止部２６に掛けると、下流管の位置を外してマンホール３８に巻き付けることができ、均等な力でサドル１２をマンホール３８に圧着することができる。また、この均等な力によりゴムシール１８もサドル１２およびマンホール３８と密着するため、止水機能を果たす。【選択図】  図９
2005307579.tif 000002
【特許請求の範囲】
【請求項１】
貫通孔が形成されたサドル、
前記サドルの内面上に取り付けられ、前記貫通孔を囲繞するゴムシール、および
前記サドルの外面上に形成され、外方へ突出する複数の係止部を備える、マンホール継手。
【請求項２】
前記係止部が前記貫通孔を挟んで対称に設けられた、請求項１記載のマンホール継手。
【発明の詳細な説明】
【技術分野】
【０００１】
この発明は、マンホール継手に関し、特にたとえば、下流管の位置に関係なくマンホールの側面に取り付けられ、流入管とマンホールとを接続する、マンホール継手に関する。
【背景技術】
【０００２】
従来のマンホール継手の一例が、非特許文献に開示されている。この非特許文献のくら型マンホール継手（ＫＤＲＳ）では、マンホールの側壁に沿うフランジに貫通孔が設けられ、この貫通孔の開口縁から外方へ立ち上がって支持管が形成されている。そして、支持管内に接続管の一端が挿入されて固着され、接続管の他端にはゴム輪溝が形成されている。
【０００３】
このマンホール継手のフランジの内面に接着剤を塗布してから、フランジをマンホールに沿わして取り付け、ゴム輪溝にゴム輪を嵌めた接続管に流入管を接続する。
【０００４】
この方法では、接着剤でマンホール継手をマンホールに固着させると、接着剤が乾くまで時間がかる上、接着剤が乾くまでマンホール継手を番線などで固定しなければならなく、施工性が悪い。
【０００５】
この問題を解決する方法として、ＳＵＳバンドなどの締付部材によりマンホール継手をマンホールに圧着させる方法がある。この方法では、マンホール継手をマンホールの側壁上に沿わせ、締付部材をマンホール継手上に這わせながらマンホールの側壁の周りに巻いて、マンホール継手をマンホールに押し付け固定する。
【非特許文献１】下水道協会規格  Ｋ−９
【発明の開示】
【発明が解決しようとする課題】
【０００６】
しかし、この方法によれば、サドルと流出管との高さが同じ位置では、流出管が邪魔をしてサドルを押さえながらマンホール側面上に締付部材を回すことができない。このため、均一な締付力でマンホール継手をマンホールに圧接させることができず、マンホール継手の安定性が悪く、止水性も劣る。
【０００７】
それゆえに、この発明の主たる目的は、止水性を維持しながら簡単に取り付けることができる、マンホール継手を提供することである。
【課題を解決するための手段】
【０００８】
請求項１の発明は、貫通孔が形成されたサドル、サドルの内面上に取り付けられ、貫通孔を囲繞するゴムシール、およびサドルの外面上に形成され、外方へ突出する複数の係止部を備える、マンホール継手である。
【０００９】
請求項１の発明では、サドルをマンホールの側壁に沿わせて、樹脂製バンドなどの締付部材をサドルの係止部に掛けてから、マンホールの回りを巻く。そして、締付部材を締め付けると、マンホール継手はマンホールに圧着される。また、ゴムシールもサドルによりマンホールに圧接されて、マンホールとマンホール継手との間を止水する。
【００１０】
このような方法では、サドルと流出管との高さが重なっても、締付部材をサドルの係止部に掛け、流出管の位置を避けて、たとえば流入管の上側や下側のマンホールの周りに物理的最短距離で締付部材を巻きつけることができる。これにより、流出管の位置に関係なくサドルをマンホールに均一に圧接させて固着することができる。また、サドルとマンホールとの間に配置されるゴムシールも、サドルにより均一に圧迫されるため、これらの隙間を埋めて止水する。
【００１１】
請求項２の発明は、係止部が貫通孔を挟んで対称に設けられた、請求項１記載のマンホール継手である。
【００１２】
請求項２の発明では、貫通孔を挟んで対称に係止部を設ければ、貫通孔を中心にサドルに対して締付力を与えることができる。また、この結果、貫通孔の周りに設けたゴムシールも均一な力により圧迫されるため、ゴムシールの止水性は維持される。
【発明の効果】
【００１３】
この発明によれば、マンホール継手のサドルに係止部を設けることにより、止水性を維持しながら、マンホール継手をマンホールに簡単に取り付けることができる。
【００１４】
この発明の上述の目的，その他の目的，特徴および利点は、図面を参照して行う以下の実施例の詳細な説明から一層明らかとなろう。
【発明を実施するための最良の形態】
【００１５】
図１に示すこの発明の一実施例であるマンホール継手１０はマンホールに沿うサドル１２、サドル１２に取り付けられ、流入管と連結する接続短管１４を備える。
【００１６】
図１および図２に示すように、サドル１２は湾曲する矩形の板状体であり、その曲率はマンホールの側壁と一致する。サドル１２のほぼ中央に貫通孔１６が開口する。サドル１２の内面で貫通孔１６の外側に水膨張ゴム製のゴムシール１８が接着剤で装着される。
【００１７】
図１および図３に示すように、この貫通孔１６から外方へ立ち上がる支持部２０が形成される。支持部２０は円筒形状で、この一方端は貫通孔１６と連結し、他方端から支持部２０内へ接続短管１４が挿入される。
【００１８】
接続短管１４は円筒形状であり、その外径は支持部２０の内径と同じまたはそれよりやや小さい。接続短管１４の一方端は支持部２０に接着剤などで固着され、他方端の内面にはゴム輪溝２２が形成され、その中にゴム輪２４が装着される。
【００１９】
サドル１２の外側面上には複数、この実施例では６つの係止部２６が形成され、これらの位置は貫通孔１６を中心に左右対称である。すなわち、係止部２６は貫通孔１６を挟みサドル１２の左右に３つずつ配置され、この３つの係止部２６は貫通孔１６より上方、真横、および下方にそれぞれ位置する。各係止部２６は直方体形状であり、係止部２６の上面は支持部２０の管軸と平行になるように向き、その１つの側面はサドル１２の外面に接続する。係止部２６の貫通孔１６を向く面には２つの挿入口２８が形成され、これらは係止部２６を貫通する。挿入口２８は細長く、その幅は締付部材の厚みよりやや大きめで、長さは締付部材の幅よりやや長めである。
【００２０】
締付部材はたとえばポリプロピレンなどの樹脂製バンドであり、両端を図４（Ａ）に示す固定具３０により連結することができる。固定具３０は矩形の枠３２であり、その一方長辺には間隔を隔てて２本の棒３４が接合する。棒３４は枠３２の端辺と同じまたはそれより長めで、図４（Ｂ）に示すように、折ると、棒３４の先は枠３２の上に載る。
【００２１】
このようなマンホール継手１０の貫通孔１６をマンホールの流入口の位置に合わせ、サドル１２をマンホールの側壁に沿わせる。そして、図５に示すように、２つの上側係止部２６の内の一方の係止部２６における、係止部２６の内側の挿入口２８ａに締付部材３６の一方端を通し、折り返してさらにその係止部２６の外側の挿入口２８ｂを通す。それから、図６に示すように、同様に締付部材３６の他方端を、他方の係止部２６の内側の挿入口２８ａに通し、折り返してその係止部２６の外側の挿入口２８ｂを通す。これにより、締付部材３６は２つの係止部２６間のマンホール３８上に沿い、各係止部２６から締付部材３６の端部が出る。
【００２２】
この締付部材３６の一方端を、図７に示すように枠３２の内側から通し、固定具３０の枠３２の外側へ折った棒３４に回して、また枠３２の内側へ通す。これと同様に締付部材３６の他方端を他方の棒３４に掛ける。そして、締付部材３６の両端を外側へ引っ張ると、締付部材３６は締まり、図８（Ａ）および図８（Ｂ）に示すように、マンホール継手１０はマンホール３８側に引っ張られて固定する。
【００２３】
図９に示すように、同様の方法で貫通孔１６の真横の係止部２６および下方の係止部２６に対しても、締付部材３６を取り付け、固定具３０により締め付ける。このとき、下側の係止部２６の高さは流出管４０と高さが重なるため、締付部材３６を係止部２６から水平に持ってきてマンホール３８の周りに回すことはできないが、流出管４０の下側に通すことにより、締付部材３６をマンホール３８に巻くことができる。
【００２４】
このため、サドル１２の両側において、その上側、真ん中、および下側の係止部２６に締付部材３６をそれぞれ掛けて締め付けるため、サドル１２を均等にマンホール３８に圧接させることができる。特に、係止部２６が流出管４０の位置と重なる位置でも、サドル１２に締付部材３６を係止しておけば、流出管４０の位置を外して締付部材３６をマンホール３８に巻くことができ、他の部分の締付部材３６と均等な力で締め付けてサドル１２を固定することができる。
【００２５】
このとき、締付部材３６を水平でなく斜め方向に引っ張られるが、係止部２６の挿入口２８に締付部材３６を通しておけば、締付部材３６は係止部２６から外れないので、他の締付部材３６と同等の力で締付部材３６を締め付けることができ、施工性に優れる。
【００２６】
また、係止部２６の位置を貫通孔１６に対して対称にすることにより、サドル１２、特に貫通孔１６の周囲の部分に対して均一な力をかけることができる。このため、マンホール継手１０が安定して固定され、かつゴムシール１８もマンホール継手１０により均等に圧迫されて、マンホール継手１０とマンホール３８との間の隙間を埋めて、止水性を確保する。
【００２７】
なお、係止部２６には２つの挿入口２８が形成されるが、図１０（Ａ）に示す係止部４２のように挿入口２８を１つだけ設けてもよい。この係止部４２では、図１０（Ｂ）に示すように、係止部４２のマンホール３８側から貫通孔１６側へ締付部材３６を挿入口２８に挿入してから、締付部材３６を折り返し、係止部４２の外側に沿わせる。そして、上記と同様に、締付部材３６を固定具３０で締め付けて固定する。
【００２８】
また、この係止部２６の挿入口２８を全く設けず、図１１（Ａ）に示す係止部４４を代わりに用いてもよい。この場合、図１１（Ｂ）に示すように、係止部４４のマンホール３８側から貫通孔１６側へ締付部材３６を係止部４４の上面を沿わして、折り返し、さらに係止部４４の底面に沿わせる。そして、上記と同様に、締付部材３６を固定具３０で締め付けて固定する。
【００２９】
このような係止部２６を貫通孔１６に対して左右対称に配置したが、これに代えて、貫通孔１６を中心に点対称に係止部２６を配置してもよい。この場合、図１２に示すように、貫通孔１６の周りを囲み、貫通孔１６に対して同心円上に係止部２６を設けてもよい。
【００３０】
また、図８（Ｂ）に示すように締付部材３６を係止部２６で折り返して、マンホール３８の周りに巻いたが、図１３に示すように、締付部材３６を係止部２６で折り返さずに、サドル１２およびマンホール３８の周りに巻いてもよい。この場合、サドル１２の貫通孔１６の側方に設けた２つの係止部２６は図１実施例と同様であるが、貫通孔１６の上方および下方に設けた係止部２７はコの字状に形成する。また、図１に示す係止部２６は貫通孔１６の上方、側方および下方にそれぞれ２つずつ設けたが、図１３に示すサドル１２では、さらに貫通孔１６の上下の位置にも係止部２７を設けて、貫通孔１６の上方および下方には３つの係止部２７をそれぞれ設ける。そして、係止部２７により形成された空間に締付部材３６を通して、サドル１２およびマンホール３８の周りに一周させて、固定具３０で固定する。また、貫通孔１６の側方に設けた係止部２６については図１実施例と同様に締付部材３６を取り付ける。
【００３１】
さらに、締付部材３６を複数本、いずれの実施例でも３本用いたが、１本の長い締付部材を代わりに用いてもよい。この締付部材を各係止部２６に通しながら、締付部材をマンホール３８の周囲に何度も巻いて、最後に固定具３０で固定する。
【００３２】
さらに、図１のマンホール継手１０に代えて、図１４に示すマンホール継手４６を用いてもよい。このマンホール継手４６では、支持部２０と接続短管１４とを可撓性ゴムブーツ４８で連結する。すなわち、支持部２０をゴムブーツ４８の大径側開口４８ａに挿入して、ＳＵＳバンド５０などをゴムブーツ４８上から巻いて、ゴムブーツ４８を支持部２０に連結する。同様に、接続短管１４をゴムブーツ４８の小径側開口４８ｂに挿入して、ＳＵＳバンド５０などで固定する。これにより、ゴムブーツ４８を介して支持部２０と接続短管１４とは連結するので、ゴムブーツ４８の可撓性によりこれらの接続角度を変えることができる。このため、このマンホール継手１０を用いれば、流入管が傾いていてもマンホール３８に接続することができる。
【００３３】
この図１および図１４のマンホール継手１０の接続短管１４をリブ用カラーに代えれば、リブ付パイプの流入管にも適応することができる。
【００３４】
さらに、サドル１２の内面に水膨張ゴム製のゴムシール１８を設けたが、このゴムシール１８の内側で貫通孔１６の外側にたとえばブチルゴム製のゴムシールを加えてもよい。２本のゴムシールにすることにより、これらのゴムシールはサドル１２およびマンホール３８との密着性があがり、止水機能も向上する。なお、これらのゴムシールを接着剤でサドル１２に貼り付けてもよいし、接着剤を使わずにサドル１２とマンホール３８との間に挟みこんでもよい。
【図面の簡単な説明】
【００３５】
【図１】この発明の一実施例のマンホール継手を示す斜視図である。
【図２】図１実施例のマンホール継手のサドルの内面を示す平面図である。
【図３】図１実施例のマンホール継手を示す断面図である。
【図４】（Ａ）は固定具を示す平面図であり、（Ｂ）は（Ａ）の固定具の棒を折り曲げた状態を示す斜視図である。
【図５】係止部に締付部材を掛けた状態を示す斜視図である。
【図６】係止部に締付部材を掛けてマンホールに巻いた状態を示す断面図である。
【図７】締付部材を固定具に挿入した状態を示す平面図である。
【図８】係止部に掛けてマンホールに巻いた締付部材を締め付けた状態を示す断面図である。
【図９】締付部材でマンホール継手をマンホールに圧着した状態を示す平面図である。
【図１０】（Ａ）は図１実施例の係止部の別の係止部を示す斜視図であり、（Ｂ）は（Ａ）の係止部に締付部材を掛けた状態を示す斜視図である。
【図１１】（Ａ）は図１実施例の係止部のさらに別の係止部を示す斜視図であり、（Ｂ）は（Ａ）の係止部に締付部材を掛けた状態を示す斜視図である。
【図１２】この発明の他の実施例のマンホール継手を示す平面図である。
【図１３】この発明の他の実施例のマンホール継手を示す斜視図である。
【図１４】この発明の他の実施例のマンホール継手を示す断面図である。
【符号の説明】
【００３６】
１０…マンホール継手
１２…サドル
１６…貫通孔
１８…ゴムシール
２６、２７、４２、４４…係止部
２８…挿入口
【図１】
2005307579.tif 000003
【図２】
2005307579.tif 000004
【図３】
2005307579.tif 000005
【図４】
2005307579.tif 000006
【図５】
2005307579.tif 000007
【図６】
2005307579.tif 000008
【図７】
2005307579.tif 000009
【図８】
2005307579.tif 000010
【図９】
2005307579.tif 000011
【図１０】
2005307579.tif 000012
【図１１】
2005307579.tif 000013
【図１２】
2005307579.tif 000014
【図１３】
2005307579.tif 000015
【図１４】
2005307579.tif 000016